(57)【要約】【課題】地上デジタルテレビジョン放送のケーブルテレビ再送信において、受信機の番組選局、ＥＰＧ表示等の処理負荷を軽減すること。【解決手段】ケーブルテレビ再送信における番組配列情報中に、番組識別番号と、視聴者が受信機において番組選局時に用いる番号選局番号を１対１に関連付けた情報を挿入する。これにより、番組選局番号から番組識別番号を識別する処理が容易になり、受信機の選局処理にかかる負荷を増大させない。【選択図】  図１
2004312147.tif 000002
【特許請求の範囲】
【請求項１】
地上デジタルテレビジョン放送のケーブルテレビ再送信における番組配列情報を記述する際に用いられる番組配列情報記述方法であって、地上デジタルテレビジョン放送の番組配列情報中の番組識別番号と、番組視聴者が受信機において番組を選択する番組選択番号とを１対１に関連付けた番組識別関連情報を生成し、ケーブルテレビ再送信における番組配列情報に記述することを特徴とする番組配列情報記述方法。
【請求項２】
請求項１に記載の番組配列情報記述方法において、前記番組識別関連情報は、少なくとも１つ以上の番組識別番号と番組選択番号と、代表的な番組選択番号を受信機のリモコンボタンに割り当てるリモコンキー番号と、を有することを特徴とする番組配列情報記述方法。
【請求項３】
請求項２に記載の番組配列情報記述方法において、番組選択番号は、前記リモコンキー番号と前記番組識別番号から自動的に生成されることを特徴とする番組配列情報記述方法。
【請求項４】
請求項１〜請求項３のいずれか一項に記載の番組配列情報記述方法において、前記番組識別関連情報は、受信機が表示する電子番組ガイド中の番組の並び順を指定する電子番組ガイド番号を含むことを特徴とする番組配列情報記述方法。
【請求項５】
請求項１〜請求項４のいずれか一項に記載の番組配列情報記述方法において、前記番組配列情報はＮＩＴ（Ｎｅｔｗｏｒｋ  Ｉｎｆｏｒｍａｔｉｏｎ  Ｔａｂｌｅ）であることを特徴とする番組配列情報記述方法。
【請求項６】
地上デジタルテレビジョン放送のケーブルテレビ再送信における番組配列情報を記述する際に用いられる番組配列情報記述方法であって、ＮＩＴ中のＴＳ情報記述子に記載されているリモコンキー番号を第２のリモコンキー番号に変換して記述することを特徴とする番組配列情報記述方法。
【請求項７】
請求項６に記載の番組配列情報記述方法において、前記第２のリモコンキー番号が他の第２のリモコンキー番号と重複しないように変換され記述されることを特徴とする番組配列情報記述方法。
【請求項８】
デジタル放送のケーブルテレビ再送信における番組配列情報を記述する際に用いられる番組配列情報記述方法であって、デジタル放送の番組配列情報中の番組識別番号を第２の番組識別番号に変換し、前記番組識別番号と前記第２の番組識別番号との関連を記述した番組識別関連情報をＣＡＴＶ再送信における番組配列情報に記述することを特徴とする番組配列情報記述方法。
【請求項９】
請求項８に記載の番組配列情報記述方法において、前記番組識別関連情報は、デジタル放送の番組識別番号と、前記番組識別番号を有する番組が伝送されるネットワーク番号、トランスポートストリーム番号、ブロードキャスタ番号と、第２の番組識別番号と、を有することを特徴とする番組配列情報記述方法。
【請求項１０】
請求項８〜請求項９のいずれか一項に記載の番組配列情報記述方法において、番組配列情報はＢＩＴ（Ｂｒｏａｄｃａｓｔｅｒ  Ｉｎｆｏｒｍａｔｉｏｎ  Ｔａｂｌｅ）もしくはＮＩＴであることを特徴とする番組配列情報記述方法。
【発明の詳細な説明】
【０００１】
【発明の属する技術分野】
本発明は、地上デジタルテレビジョン放送をケーブルテレビに再送信する場合に、視聴者が受信機において選局する番組選局番号から放送中の番組識別番号を導き出す際の受信機の処理負荷を軽減するための番組配列情報記述方法に関するものである。
【０００２】
【従来の技術】
現在、ケーブルテレビ社では放送のデジタル化が進められており、すでに放送が開始されているＢＳデジタル放送や、東経１１０度ＣＳデジタル放送（以下１１０度ＣＳ放送）もケーブルテレビ再送信が行われている。これらのデジタル放送のケーブルテレビ再送信ではいくつかの方式が提案されているが、デジタル放送のすべての番組を再送信できる変調変換方式（トランスモジューレション方式、以下ＴＭ方式）が有力な方式と考えられている。ＴＭ方式では、デジタル放送の番組配列情報中のデジタル受信機が番組選局に必要な番組が伝送される周波数情報のみを変換する方式で、それ以外の情報については変更を加えない。また、ＢＳデジタル放送や１１０度ＣＳ放送は日本全国において同一の放送が受信可能で、さらに放送内の番組識別番号はすべて独立性を持っている。したがって受信機における番組の選局時には、番組識別番号を入力することにより希望の番組を選局することができる。
【０００３】
【非特許文献１】
「地上デジタルテレビジョン放送運用規定」ＡＲＩＢ  ＴＲ−Ｂ１４  １．２版  社団法人  電波産業会
【０００４】
【発明が解決しようとする課題】
しかしながら、地上デジタルテレビジョン放送では、受信機における番組の選局時には、番組識別番号とは異なる選局番号で選択することになっている。この選局番号は、受信機のリモコンのワンタッチ選局ボタン番号を指し示すリモコンキー番号と番組識別番号中の番組番号とで決定される。さらにこの選局番号は県域内でのみ独立性が保証されており、県域をまたがる場合には選局番号が重複する場合がある。
【０００５】
ケーブルテレビ局において県域をまたがる放送を受信し、再送信する場合には番組選局のための選局番号の重複が発生し、そのまま再送信すれば受信機は重複した番組のどちらを選局すれば良いか判断できないという問題が発生する。
【０００６】
地上デジタルテレビジョン放送を直接受信する地上デジタルテレビジョン対応受信機では、このような選局番号の重複に対応するため枝番と呼ばれる選局番号にさらに１桁の識別番号を付加した運用を実装している。枝番は重複した選局番号が選択された場合には、枝番による選局の優先順位をつけるとともに、選局できる重複した選局番号を表示し、視聴者に選択を促すような方法をとっている。
【０００７】
しかしながら現在のケーブルテレビ再送信に対応したデジタル受信機では、すでに放送されているＢＳデジタル放送や１１０度ＣＳ放送のみに対応したもので、枝番という概念には対応しておらず、枝番に対応するためには実装されるソフトウェアの変更が必要となり、またその規模も膨大となるため対応が難しい。
【０００８】
この発明は、上記の課題を解決するためになされたもので、地上デジタルテレビジョン放送を再送信する際の番組配列情報記述方法において、番組選局のための番組選局番号を重複しないように生成するとともに、番組選局番号と番組識別番号を容易に関連付けられるように記述し、受信機の処理負荷を軽減することを目的としている。また、この発明は、地上デジタルテレビジョン放送で指定された受信機のリモコンのワンタッチ選局割り当てを、ケーブルテレビ局独自の割り当てに変更することができることを目的としている。
【０００９】
【課題を解決するための手段】
このような課題を解決するために、本発明は、地上デジタルテレビジョン放送のケーブルテレビ再送信における番組配列情報を記述する際に用いられる番組配列情報記述方法であって、地上デジタルテレビジョン放送の番組配列情報中の番組識別番号と、番組視聴者が受信機において番組を選択する番組選択番号とを１対１に関連付けた番組識別関連情報を生成し、ケーブルテレビ再送信における番組配列情報に記述することを特徴とする。
【００１０】
また、本発明の一実施態様として、前記番組配列情報記述方法において、番組識別関連情報は、少なくとも１つ以上の番組識別番号と番組選択番号と、代表的な番組選択番号を受信機のリモコンボタンに割り当てるリモコンキー番号と、を有することを特徴とする。
【００１１】
また、本発明のさらなる一実施態様として、前記番組配列情報記述方法において、番組選択番号は、リモコンキー番号と番組識別番号から自動的に生成されることを特徴とする。
【００１２】
また、本発明のなおさらなる一実施態様として、前記番組配列情報記述方法において、番組識別関連情報は、受信機が表示する電子番組ガイド中の番組の並び順を指定する電子番組ガイド番号を含むことを特徴とする。
【００１３】
また、本発明のなおさらなる一実施態様として、前記番組配列情報記述方法において、番組配列情報はＮＩＴ（Ｎｅｔｗｏｒｋ  Ｉｎｆｏｒｍａｔｉｏｎ  Ｔａｂｌｅ）であることを特徴とする。
【００１４】
本発明はまた、地上デジタルテレビジョン放送のケーブルテレビ再送信における番組配列情報を記述する際に用いられる番組配列情報記述方法であって、ＮＩＴ中のＴＳ情報記述子に記載されているリモコンキー番号を第２のリモコンキー番号に変換して記述することを特徴とする。
【００１５】
また、本発明の一実施態様として、前記番組配列情報記述方法において、第２のリモコンキー番号が他の第２のリモコンキー番号と重複しないように変換され記述されることを特徴とする。
【００１６】
本発明はまた、デジタル放送のケーブルテレビ再送信における番組配列情報を記述する際に用いられる番組配列情報記述方法であって、デジタル放送の番組配列情報中の番組識別番号を第２の番組識別番号に変換し、前記番組識別番号と前記第２の番組識別番号との関連を記述した番組識別関連情報をＣＡＴＶ再送信における番組配列情報に記述することを特徴とする。
【００１７】
また、本発明の一実施態様として、前記番組配列情報記述方法において、番組識別関連情報は、デジタル放送の番組識別番号と、前記番組識別番号を有する番組が伝送されるネットワーク番号、トランスポートストリーム番号、ブロードキャスタ番号と、第２の番組識別番号と、を有することを特徴とする。
【００１８】
また、本発明のさらなる一実施態様として、前記番組配列情報記述方法において、番組配列情報はＢＩＴ（Ｂｒｏａｄｃａｓｔｅｒ  ＩｎｆｏｒｍａｔｉｏｎＴａｂｌｅ）もしくはＮＩＴであることを特徴とする。
【００１９】
本発明はまた、ケーブルテレビ再送信装置、番組配列情報変換装置、またはこのような番組配列情報を受信する受信機、あるいは地上デジタル放送のケーブルテレビ再送信システムを包含する。
【００２０】
本発明はまた、上記番組配列情報記述方法を実行するためのプログラム、またはこれを記録した記録媒体を包含する。
【００２１】
本発明を、以下の「発明の実施の形態」および図面を用いて説明するが、これらに限定されるものではない。
【００２２】
【発明の実施の形態】
（実施の形態１）
図１は本実施例の形態における番組配列情報記述方法の一例である。図１において、４０１〜４０Ｘは図示しない地上デジタルテレビジョン放送用アンテナからの信号を受信し、再送信を行うケーブルテレビ再送信装置、３００はケーブルテレビ再送信装置から１０１〜１０Ｘの番組配列情報を受信しケーブルテレビ用の番組配列情報に変換してケーブルテレビ再送信装置に２０１〜２０Ｘのケーブルテレビ用番組配列情報を設定する番組配列情報変換装置、１００１〜１００Ｘは、１０１〜１０Ｘの番組配列情報中に含まれる番組識別番号、２０００〜２００Ｘは本発明により生成された番組識別関連情報である。
【００２３】
ケーブルテレビ再送信装置４０１は、地上デジタルテレビジョン放送の番組配列情報１０１を番組配列情報変換装置３００に送信する。番組配列情報１０１は例えばＮＩＴ（Ｎｅｔｗｏｒｋ  Ｉｎｆｏｒｍａｔｉｏｎ  Ｔａｂｌｅ）であり、番組配列情報変換装置３００では、ＮＩＴ中の番組識別番号１００１を抽出することができる。番組配列情報変換装置３００では抽出した番組識別番号１００１と視聴者が受信機において番組選局する番組選局番号を１対１に関連付けた番組識別関連情報２００１を生成し、ケーブルテレビ用の番組配列情報２０１としてケーブルテレビ再送信装置４０１に設定する。
【００２４】
図２は、本実施の形態において、番組識別関連情報２００１中に、受信機のリモコンワンタッチボタンへの割り当てを指定したリモコンキー番号と、受信機での電子番組ガイド表示順を決定する電子番組ガイド番号を追加した一例である。図２において、図１に示した内容と同等のものには同一番号を付している。番組識別関連情報２００１中の番組選局番号、リモコンキー番号、電子番組ガイド番号は他の番号と重複しないように記述する。また、番組選局番号は任意の番号に設定することも可能であるが、リモコンキー番号、番組識別番号などから自動的に決定される番号としても良い。
【００２５】
図３は、本実施の形態において、受信機での番組選局の動作の一例を示している。６００は地上デジタルテレビジョン放送の再送信に対応した受信機、６０１は受信機６００のリモコン、５００は受信機６００の出力を表示するテレビである。図３において、図１に示した内容と同等のものには同一番号を付している。受信機６００は、視聴者が番組を選局した際に、受信した番組識別関連情報２００１を参照することにより、容易に番組識別番号を判別できる。また、リモコン６０１のワンタッチボタン割り当ても受信した番組識別関連情報２００１を参照することにより可能となる。また、受信機で表示する電子番組ガイドに表示する番組の表示順序についても、受信した番組識別関連情報２００１を参照することにより可能となる。このように、受信機６００の選局動作や、リモコンボタンキー割り当て、電子番組ガイド表示において、番組識別関連情報２００１を参照するのみで、処理負荷を増大させることなく地上デジタルテレビジョン放送に対応することが出来る。
【００２６】
なお、この例では番組識別関連情報２００１にのみ説明したが、もちろん番組識別関連情報２００２〜２００Ｘについても同様の動作になることは言うまでもない。
【００２７】
また、番組配列情報変換装置３００は、ケーブルテレビ再送信のためのものであるため、地上デジタルテレビジョン放送で用いられる伝送諸元（周波数情報など）をケーブルテレビ再送信用の伝送諸元に書き換えることも行うのは明らかである。
【００２８】
（実施の形態２）
図４は実施例の形態における番組配列情報記述方法の一例である。図４おいて、３００１〜３００Ｘは番組配列情報であるＮＩＴのＴＳ情報記述子中のリモコンキー番号、４００１〜４００Ｘは生成した第２のリモコンキー番号を示す。リモコンキー番号３００１〜３００Ｘを番組配列情報変換装置において第２のリモコンキー番号４００１〜４００Ｘを生成する。これにより、地上デジタルテレビジョン放送の事業者が指定したリモコンキー割り当てによらず、ケーブルテレビ局独自のリモコンキー割り当てで運用することが可能となる。
【００２９】
また、ケーブルテレビ局において県域をまたがって再送信する場合に、リモコンキー番号が重複している場合があるが、番組配列情報変換装置において他のリモコンキー番号と重複しない第２のリモコンキー番号を生成することにより、地上デジタルテレビジョン放送を受信する場合でも受信機の処理を増大させないようにすることができる。
【００３０】
【発明の効果】
以上のように、本発明によれば、地上デジタルテレビジョン放送のケーブルテレビ再送信において、ケーブルテレビ局が県域をまたがるような放送を再送信する場合にも、番組を選局するための番号を重複することなく再送信することができるため、選局処理にかかる受信機の負荷を軽減することができる。
【００３１】
さらに、本発明によれば、地上デジタルテレビジョン放送で指定された受信機のリモコンのワンタッチ選局割り当てを、ケーブルテレビ局が独自に割り当てることが出来るようになる。
【図面の簡単な説明】
【図１】本発明の実施の形態１に係る、番組配列情報記述方法の一例を示す図
【図２】本発明の実施の形態１に係る、番組識別関連情報の構成例を示す図
【図３】本発明の実施の形態１に係る、受信機における番組選局のイメージ例を示す図
【図４】本発明の実施の形態２に係る、番組配列情報記述方法の一例を示す図
【符号の説明】
１０１〜１０Ｘ  番組配列情報
２０１〜２０Ｘ  ケーブルテレビ用番組配列情報
３００  番組配列情報変換装置
４０１〜４０Ｘ  ケーブルテレビ再送信装置
５００  テレビ
６００  受信機
６０１  リモコン
１００１〜１００Ｘ  番組識別番号
２００１〜２００Ｘ  番組識別関連情報
２１０１〜２１０Ｘ  番組識別関連情報
３００１〜３００Ｘ  リモコンキー番号
４００１〜４００Ｘ  第２のリモコンキー番号
【図１】
2004312147.tif 000003
【図２】
2004312147.tif 000004
【図３】
2004312147.tif 000005
【図４】
2004312147.tif 000006